(57)【要約】【課題】簡単に施工ができ、かつ周囲の美観を損ねることのない施錠検出装置を提供する。【解決手段】扉受け枠１に既設のストライク孔７に臨む開口部８内に設け、かつ前記ストライク孔に施錠用移動体９が進出、後退して閉じた扉の施錠と解錠を行うのを検出する施錠検出手段１２と、前記施錠検出手段に接続して前記検出した信号を伝送するケーブル１４とを備え、前記ケーブルは柔軟性があって、かつ極薄の扁平形に形成し、かつ前記信号を外部へ伝送するため前記ストライク孔７より外へ導出して前記扉受け枠と閉じた扉の間に生じる隙間１５を通じて配線したものである。柔軟性があって、かつ極薄の扁平形のケーブルを配線に利用し、かつ扉受け枠に既設のストライク孔及び扉と扉受け枠の間に生じる僅かな隙間を利用して配線し、新たな加工をせずに施錠検出装置を設置することができる。【選択図】  図１
2004300875.tif 000002
【特許請求の範囲】
【請求項１】
扉受け枠に既設のストライク孔に臨む開口部内に設け、かつ前記ストライク孔に施錠用移動体が進出、後退して閉じた扉の施錠と解錠を行うのを検出する施錠検出手段と、前記施錠検出手段に接続され、前記施錠検出手段が検出した信号を伝送するケーブルとを備え、前記ケーブルは柔軟性で、かつ極薄の扁平形に形成し、かつ前記信号を外部へ伝送するため前記ストライク孔より外へ導出してなる施錠検出装置。
【請求項２】
扉受け枠に既設のストライク孔に臨む開口部内に設け、かつ前記ストライク孔に施錠用移動体が進出、後退して閉じた扉の施錠と解錠を行うのを検出する施錠検出手段と、前記施錠検出手段に接続され、前記施錠検出手段が検出した信号を伝送するケーブルとを備え、前記ケーブルは柔軟性で、かつ極薄の扁平形に形成し、かつ前記信号を外部へ伝送するため前記ストライク孔より外へ導出して前記扉受け枠と閉じた扉の間に生じる隙間を通じて配線してなる施錠検出装置。
【請求項３】
ケーブルは、扉を閉めた状態で、扉受け枠のストライク孔が臨む面と、これに対向する扉の側面との間に生じる隙間を通じて配線してなる請求項１または請求項２に記載の施錠検出装置。
【発明の詳細な説明】
【０００１】
【発明の属する技術分野】
本発明は、扉受け枠に開閉自在に設けた扉の施錠と解錠を検出する施錠検出装置に関し、特に施錠検出手段からの配線に係るものである。
【０００２】
【従来の技術】
従来の扉の施錠と解錠を検出する施解錠確認装置は、図３に示すように扉３０を開閉自在に取り付けた扉受け枠３１の開口３２内にマイクロスイッチ３３を設け、マイクロスイッチ３３は施錠の際に扉３０の錠３４のデットボルト３５が、開口３２に対向する金属の施錠受け具３６のストライク孔３７を介して開口３２内に進出することにより、マイクロスイッチ３３のアクチュエータを駆動し、また解錠の際にストライク孔３７からデットボルト３５が後退して、マイクロスイッチ３３のアクチュエータを駆動するのを検出するものである。
【０００３】
このように錠３４の施錠と解錠を検出するマイクロスイッチ３３は接続したリード線３８により、施錠と解錠の信号を伝送している（特許文献１参照）。なお、ストライク孔内とデットボルトの先端に磁石やコイルを設け、電磁力の作用により施錠信号を取り出す構成も従来から実用化されている。
【０００４】
これらの従来技術によると、ストライク孔３７に対向する扉受け枠３１の開口３２内に設置したマイクロスイッチ３３のリード線３８は、開口３２内に位置しているだけで、これより先への配線は示されていない。しかし、このマイクロスイッチ３３で検出した施錠と解錠の信号を処理するためには、開口３２内から外へ導出しなければならなく、ストライク孔３７の傍に配線用孔を新たに設けることが考えられ、この配線用孔を通じてリード線を導出し信号処理部まで配線をしなければならない。
【０００５】
従って、扉が玄関扉である場合には、既設した玄関扉の錠に、このような施解錠確認装置を新たに取付けるには、配線および施行を含めて極めて困難を伴い施工業者に頼らざるを得なくなることが考えられる。また、施解錠の状態を確認する表示部を宅内等に設置する場合、玄関扉の傍に配線用孔を新たに設ける必要が生じる。さらに、一旦設置した装置を何らかの理由で取り外した場合には、配線用孔が開いた状態となり、また孔を塞ぐためには施錠受け具３６の取替えが必要になることが考えられるのと、信号処理部の一つである表示部の取外し後の傷が現れ玄関の美観を損ねてしまう問題も考えられる。
【０００６】
さらに、上記した問題を解決する手段として、従来のリード線の配線をストライク孔が設けられた施錠受け具３６に沿って配線する方法が考えられるが、これによるとリード線の厚みによって扉が確実に閉まらなくなってしまうという不具合が生じる可能性が高い。また、例え確実に扉が閉まったとしてもその配線は、玄関付近を配線するため玄関の美観を損ね、そのために配線カバーなどを取り付けても配線の厚み以上のカバーが必要となり、玄関の美観を損ねる可能性が高い。
【０００７】
【特許文献１】
特開平８−１５１８３２号公報
【０００８】
【発明が解決しようとする課題】
上記従来の技術の問題点に鑑み、本発明が解決しようとする課題は、簡単に施工ができ、かつ周囲の美観を損ねることのない施錠検出装置を提供することにある。
【０００９】
【課題を解決するための手段】
上記目的を達成するために本発明は、扉受け枠に既設のストライク孔に臨む開口部内に設け、かつ前記ストライク孔に施錠用移動体が進出、後退して閉じた扉の施錠と解錠を行うのを検出する施錠検出手段と、前記施錠検出手段に接続され、前記施錠検出手段が検出した信号を伝送するケーブルとを備え、前記ケーブルは柔軟性で、かつ極薄の扁平形に形成し、かつ前記信号を外部へ伝送するため前記ストライク孔より外へ導出してなる施錠検出装置である。
【００１０】
上記手段によれば、扉の施錠と解錠の信号を伝送するのに、施錠検出手段に接続され、柔軟性で極薄の扁平形に形成したケーブルを利用し、そして前記ケーブルを、扉の施錠と解錠の際に施錠用移動体が進出、後退する扉受け枠に既設されているストライク孔より外へ導出するので、ケーブルを外へ導出するための新たな加工を必要としなく、簡単かつ容易に施工ができるとともに、仕上がりを良好にできるものである。
【００１１】
また本発明は、扉受け枠に既設のストライク孔に臨む開口部内に設け、かつ前記ストライク孔に施錠用移動体が進出、後退して閉じた扉の施錠と解錠を行うのを検出する施錠検出手段と、前記施錠検出手段に接続され、前記施錠検出手段が検出した信号を伝送するケーブルとを備え、前記ケーブルは柔軟性で、かつ極薄の扁平形に形成し、かつ前記信号を外部へ伝送するため前記ストライク孔より外へ導出して前記扉受け枠と閉じた扉の間に生じる隙間を通じて配線してなる施錠検出装置である。
【００１２】
上記手段によれば、扉の施錠と解錠の信号を伝送するのに、施錠検出手段に接続した柔軟性で極薄の扁平形に形成したケーブルを利用し、そして前記ケーブルを、扉の施錠と解錠の際に施錠用移動体が進出、後退する扉受け枠に既設してあるストライク孔より外へ導出し、さらに設置した扉受け枠と閉じた扉の間に生じる隙間を利用して配線が行えるので、ケーブルを外へ導出し、かつ配線するための新たな加工を必要としなく、極めて簡単かつ容易に施工ができるとともに、仕上がりを良好にできるものである。
【００１３】
【発明の実施の形態】
本発明の目的は各請求項に記載した構成を実施の形態の要部とすることにより達成できるので、以下には図１、図２を参照して詳細を説明し、本発明の実施の形態についての説明とする。
【００１４】
（実施の形態１）
図１は、本発明の各請求項の発明に対応する施錠検出装置の扉に設けた一実施の形態を示す横断面図で、図２は、同施錠検出装置の扉に設けた室内側からの正面断面図である。
【００１５】
１は住宅の壁２に設置した金属製の扉受け枠で、３は扉受け枠１にヒンジ４を介して開閉自在に取り付けた出入用の扉で、外側へ開くようにしてある。５は扉３に設けた錠で、鍵（図示せず）により施錠と解錠の際に、扉受け枠１に取外し可能に設けた施錠受け具６のストライク孔７を経て、ストライク孔７に対向して扉受け枠１に設けてある開口部８に対し、進出と後退する施錠と解錠用の施錠用移動体であるデットボルト９と、取っ手１０を持って回しながら扉３を開閉する通常における扉の開閉の際に、ストライク孔７を経て開口部８に対し進出と後退する開閉用のラッチボルト１１を有する。
【００１６】
１２はストライク孔７に続く扉受け枠１の開口部８の内部に設け、錠５の施錠と解錠の状態を検出するマイクロスイッチ等の施錠検出手段で、デットボルト９がストライク孔７を経て開口部８内に対し、施錠の際に進出し、解錠の際に後退する動作をアクチュエータが検出する（施錠状態と解錠状態）ものである。１３は住宅の室内側で扉３のある玄関付近等に設けた信号処理部で、扉３の錠５が施錠状態か、解錠状態か一目で判るように処理して表示する表示手段、あるいは施錠状態と解錠状態の信号を処理して無線通信により管理センタ（図示せず）に送る送信手段等である。
【００１７】
１４は施錠検出手段１２と信号処理部１３を接続した信号伝送用のケーブルで、信号線をポリエステイルフィルムで上下から一体に挟持し、厚さ１ｍｍ、幅５ｍｍ程度の柔軟性があって、かつ極薄の扁平形に形成したもので、狭い隙間でも配線ができるようにしてある。
【００１８】
すなわち、ケーブル１４は、図１、図２に示すように開口部８とストライク孔７の開いた面から外へ導出し、さらに扉３を閉めた状態で、扉受け枠１の開口部８、施錠受け具６のストライク孔７が臨む面と、これに対向する扉３の側面との間に生じる隙間１５（扉の設置時に生じる隙間を利用する）を通じ、かつ扉受け枠１の外側面に沿わせて室内側に折り返して配線している。１６は点線で示した配線カバーで、極薄で幅も比較的に狭いケーブルなので、壁２との色合いを調和させれば、あまり美観を損ねなくできるが、気になる時は室内側で露出したケーブル１４の部分を覆うようにする。図中、１７は扉受け枠１の受け部である。
【００１９】
上記実施の形態における設置方法および動作について説明する。まず、扉３を開けるとストライク孔７が臨むので、このストライク孔７より扉受け枠１の開口部８内に、進出、後退するデットボルト９の動きを検出できる位置において、予めケーブル１４の接続してある施錠検出手段１２を設置する。なお、ストライク孔７を通じての施錠検出手段１２の設置作業が、スペース的にし難い場合は、施錠受け具６を取外して開口部８の大きく臨む口から施錠検出手段１２を設置し、再び施錠受け具６を取り付けるものである。
【００２０】
次にケーブル１４を開口部８、ストライク孔７の開いた口から外へ導出し、そして室内側に向けて折り曲げながら、さらに折り返して扉受け枠１の外側面に例えば両面テープ（図示せず）等を介して固着し、かつ壁２に沿わせて信号処理部１３に接続する。ケーブル１４の室内側に露出した部分には配線カバー１６を施す必要がある時は設置する。配線が終われば、扉３を図１、図２のように閉じると、ケーブル１４は扉３の施工時に生じている小さな隙間１５に支障なく収まるのである。
【００２１】
そして、閉じた扉３の錠５の施錠と解錠をそれぞれ行うと、デットボルト９がストライク孔７を経て開口部８内に対し、進出、後退を行う。このデットボルト９の動きを検出した施錠検出手段１２は施錠状態と解錠状態のそれぞれの信号を、ケーブル１４を通じて信号処理部１３へ出力する。信号処理部１３は、前記状態に応じてＬＥＤ等を点灯させたり、ブザーを鳴動させたり、該状態を有線や無線により上位装置へ送信するなどの処理の一つもしくは複数を行うのである。
【００２２】
以上のように本実施の形態では、ストライク孔に臨む開口部内に設けた施錠検出手段に接続した柔軟性で、かつ極薄の扁平形のケーブルを、既存のストライク孔から外へ導出したので、ケーブルを外へ導出するのに新たな加工が不要となり、施工業者に頼ることなく、簡単かつ容易に施工ができるとともに、仕上がりも良好になる。
【００２３】
また、本実施の形態では、ストライク孔に臨む開口部内に設けた施錠検出手段に接続した柔軟性で極薄の扁平形に形成したケーブルを利用し、そして前記ケーブルを、既存のストライク孔から外へ導出し、さらに設置した扉受け枠と閉じた扉の間に生じる隙間を利用して配線を行うので、通常の導線では配線が不可能もしくは困難なわずかな隙間に配線することが可能であり、ケーブルを外へ導出し、かつ配線するための新たな加工を必要としない極めて簡単、かつ容易に施工ができるとともに、ケーブル１４が通常の導線に比べ薄いために、配線カバー１６は、玄関付近に目立たなく設置することが可能である。
【００２４】
このように施錠検出手段と信号処理部の間の配線に柔軟性で極薄の扁平形のケーブルを用いることにより、玄関扉付近の僅かな隙間を利用してケーブルの配線ができ、結果として玄関扉付近に配線用の加工を新たに設ける必要がなくなる。
【００２５】
なお、本実施の形態では、一端を支店に開閉自在なドアに施錠検出装置を施工した形態であるが、引き戸に実施しても本実施の形態と同様の作用効果を期待できるものである。また、ケーブル１４は厚さ１ｍｍ、幅５ｍｍに限定されるものではなく、住宅に設置している扉受け枠と閉じた扉の間に、施工上どうしても生じる隙間を利用して配線するのに適する、柔軟性で極薄の扁平形のケーブルであれば良いものである。さらに、施錠検出手段としては、マイクロスイッチ以外に、磁石やコイルを用いた検出器であってもよい。
【００２６】
【発明の効果】
以上のように本発明は、施錠検出手段に接続した柔軟性で、かつ極薄の扁平形に形成したケーブルを利用し、そして前記ケーブルを扉の施錠と解錠の際に施錠用移動体が進出、後退する扉受け枠に設けてあるストライク孔より外へ導出するので、ケーブルを外へ導出するための新たな加工を必要としなく、簡単かつ容易に施工ができるとともに、仕上がりを良好にできる。
【図面の簡単な説明】
【図１】本発明の実施の形態１における施錠検出装置の扉に設けた状態を示す横断面図
【図２】同実施の形態１における施錠検出装置の扉に設けた室内側の正面断面図
【図３】従来の技術における施解錠確認装置の扉に設けた室内側の正面断面図
【符号の説明】
１    扉受け枠
３    扉
７    ストライク孔
８    開口部
９    デットボルト（施錠用移動体）
１２  施錠検出手段
１４  ケーブル
１５  隙間
【図１】
2004300875.tif 000003
【図２】
2004300875.tif 000004
【図３】
2004300875.tif 000005